(57)【要約】【課題】キーロック時にメモリカードスロットに挿入されたメモリカードから所定量の音楽データをＲＡＭに読み込み、ＲＡＭから音楽データを読み出して再生する際の電力消費を抑制する。【解決手段】携帯用音楽プレーヤ１０は、制御部１１と、各部に電力を供給する電源部１２と、メモリカード１４１が挿入されるメモリカードスロット１４と、メモリカード１４１から読み込んだ音楽データを記憶するＲＡＭ１５と、を備え、制御部１１が、携帯用音楽プレーヤ１０がキーロック状態にあることを検出した場合、メモリカード１４１から音楽データをＲＡＭ１５に読み込み処理を行っている期間のみ電源部１２からメモリカードスロット１４に電源を供給する。【選択図】図１
2008180787.tif 000002
【特許請求の範囲】
【請求項１】
各部に電力を供給する電源部と、メモリカードが挿入されるメモリカードスロットと、メモリカードから読み込んだ音楽データを記憶するＲＡＭと、前記ＲＡＭに記憶された音楽データを読み出して再生処理する再生処理部と、操作入力部と、前記操作入力部による操作入力を無効にするキーロック制御部と、制御部と、を備えた携帯用音楽プレーヤにおいて、
前記制御部は、前記キーロック制御部により操作入力が無効にされている場合、前記メモリカードから音楽データを前記ＲＡＭに読み込む期間のみ前記電源部から前記メモリカードスロットに電源を供給することを特徴とする携帯用音楽プレーヤ。
【請求項２】
前記制御部は、前記キーロック制御部により操作入力が無効にされている場合、前記メモリカードから音楽データを前記ＲＡＭに読み込んだ後、該読み込んだ音楽データを前記ＲＡＭより読み出して再生処理部により再生処理されている期間は前記電源部から前記メモリカードスロットへの電源供給を停止することを特徴とする請求項１に記載の携帯用音楽プレーヤ。
【請求項３】
前記制御部は、前記キーロック制御部により操作入力が無効にされていない場合は、前記電源部から前記メモリカードスロットに常時電源を提供することを特徴とする請求項1または２に記載の携帯用音楽プレーヤ。
【発明の詳細な説明】
【技術分野】
【０００１】
本発明は、着脱可能な半導体メモリであるメモリカードから音楽データを音楽プレーヤ本体内のＲＡＭに読み込み、ＲＡＭから音楽データを読み出して再生する携帯用音楽プレーヤに関するものであり、特に操作入力手段のキー操作を無効にするキーロック機能を有する携帯用音楽プレーヤにおいて、キーロック時には音楽プレーヤ本体が自動的にメモリカードスロットに挿入されたメモリカードから所定量の音楽データをＲＡＭに読み込む間のみ当該メモリカードスロットに電源供給するようにして電力消費を抑制するようにした携帯用音楽プレーヤに関するものである。
【背景技術】
【０００２】
近年の各種のデジタル機器に用いられるマイクロコンピュータの小型化、処理能力向上が著しく進み、携帯電話を始め携帯用ゲーム機器、携帯用音楽プレーヤなどが提供され、多くのユーザに利用されるようになってきた。携帯用音楽プレーヤの多くは、ウエアラブル機器と称されるように洋服のポケットに本体を入れるなどして該本体を身に付け、本体で再生される音楽を該本体から延びるイヤホーンやヘッドホーンなどで聴くというように使用されている。
【０００３】
携帯用音楽プレーヤでは、音楽データの記憶媒体として種々の記憶媒体が利用される。例えば、ミニディスクを用いた携帯用音楽プレーヤが提供されており、携帯用音楽プレーヤ本体は、ミニディスクと略同等の外形まで小形化されている。また、最近では、本体の側面に表示面を形成して、音楽プレーヤの動作状態が表示できるようになってきている。
【０００４】
一方、最近では記憶媒体として、ミニディスクより外形が小さく、しかもミニディスクのような回転機構を必要とせずに再生が行えるメモリカードを用いて、音楽を再生する音楽プレーヤも提供されている。メモリカードを記憶媒体とすると、ミニディスクのように機械的に動く機構が不要になるので、携帯用音楽プレーヤ本体は更に小さくてすむ。そのため、携帯電話を始め多くの携帯機器に利用されている。
【０００５】
このような携帯用音楽プレーヤは、例えば、下記の特許文献１（特開２００１−１８８５６４号公報）に音声出力装置として開示されている。この音声出力装置はメモリカードが差込可能なスロットを一端部に有し、他端側が該スロットと略同じ幅寸法で該スロットと反対方向へ延びて細長く形成された本体に、メモリカードから音楽情報、文字情報を読取る読取り機能、音楽を音声出力端子へ出力させるプレーヤ機能、本体の側面に長手方向に延びるように形成された表示面、読取った曲のタイトル、歌手、歌詞を表示面から長手方向沿いに所定に表示させる表示制御機能を組み合せたものである。
【０００６】
一般的に、携帯用の各種機器は本体内に搭載した充電可能な電池を電源として動作するものであるため、電池の無駄な消耗を抑制するための各種の省電力機能を備えている。これは携帯用音楽プレーヤにおいても同様であり、例えば、下記の特許文献２（特開２００６−３５１１３３号公報）、特許文献３（特開２００４−１１０２２９号公報）に省電力技術が開示されている。
【０００７】
この特許文献２に開示された表示制御方法は、携帯型オーディオプレーヤは所定の順で複数の楽曲データを再生するように構成され、再生曲の切り換わりタイミングで、ＬＣＤパネルのバックライトを一定時間オンにし、その後、オフにすることによって表示のための電力を抑制するようにしたものである。
【０００８】
また、特許文献３に開示された外部記憶装置の電源制御方法は、本体の電源がオンにされたとき、スイッチは開の状態を保ち、外部記憶装置であるメモリカードスロットに給電されない。次に、操作入力部において、メモリカードに対する読み書きを指示する操作が行われると、制御部はスイッチを閉じてメモリカードスロットに給電し、次にメモリカードに対して指示された読み書きを実行し、その終了後にスイッチを開いて再びメモリカードスロットに給電されないようにすることによって外部記憶装置の電力消費を抑制するようにしたものである。
【特許文献１】特開２００１−１８８５６４号公報
【特許文献２】特開２００６−３５１１３３号公報
【特許文献３】特開２００４−１１０２２９号公報
【発明の開示】
【発明が解決しようとする課題】
【０００９】
ところで、携帯用音楽プレーヤをはじめとする携帯電話などの携帯機器には、多くの場合、盗難や紛失時に正規の所持者以外による不正使用を防止するためキーロック機能を備えている。キーロック機能は正規の所持者が設定した暗証番号によりオン・オフされる。キーロック機能がオンされている場合には操作入力手段として設けられた各種の操作キーや入力キーが操作されてもその入力が無効にされる。
【００１０】
従って、携帯機器を紛失してもキーロック機能をオンしておけば、この携帯用機器を取得した第３者が操作入力手段を操作してもその入力が無効にされるから不正に使用することはできない。キーロック機能をオフしようとしても暗証番号を入力しない限りオフすることはできず、第３者に容易に類推できない暗証番号を設定しておけばキーロック機能をオフにされることもない。
【００１１】
携帯用音楽プレーヤにおいては、メモリカードスロットにメモリカードを挿入して携帯用音楽プレーヤ本体内のＲＡＭに音楽データを読み込み、ＲＡＭから音楽データを読み出して再生する。そして、再生が終わった音楽データはＲＡＭから削除される。通常、この操作は操作入力手段により行われる。この場合、上記特許文献３に開示された省電力機能を適用することができる。
【００１２】
すなわち、キーロック機能がオフされていれば、メモリカードに対する読み書きを指示する操作が行われた場合に、メモリカードスロットに給電してメモリカードに対して指示された読み書きを実行し、その終了後に再びメモリカードスロットに給電されないようにすることによって外部記憶装置の電力消費を抑制することができる。
【００１３】
しかしながら、キーロック機能がオンされた状態でメモリカードスロットにメモリカードが挿入されている場合、自動的にメモリカードから携帯用音楽プレーヤ本体内のＲＡＭに音楽データを読み込み、ＲＡＭから音楽データを読み出して再生する動作をするように構成される場合がある。この場合、キーロック機能がオンされているため、メモリカードに対する読み書きを指示する操作が行われた場合にメモリカードスロットに給電してメモリカードに対して指示された読み書きを実行し、その終了後に再びメモリカードスロットへの給電を停止するようなメモリカードスロットの給電制御を行うことができないという問題点がある。
【００１４】
本願の発明者は上記の問題点を解消すべく種々検討を重ねた結果、キーロック状態では、携帯用音楽プレーヤが自動的にメモリカードからＲＡＭに大量の音楽データを読み込み、ＲＡＭから音楽データを読み出して再生中は、メモリカードからの読み込み動作を停止する点に着目し、キーロック時にはメモリカードから音楽データを読み込む時だけメモリカードスロットに電源供給し、その他の状態では電源供給を停止すれば消費電力を抑制し得ることに想到して本発明を完成するに至ったものである。
【００１５】
すなわち、本発明は上記の問題点を解消することを課題とし、特に操作入力手段のキー操作を無効にするキーロック機能を有する携帯用音楽プレーヤにおいて、キーロック時にメモリカードスロットに挿入されたメモリカードから所定量の音楽データをＲＡＭに読み込み、ＲＡＭから音楽データを読み出して再生する際の電力消費を抑制するようにした携帯用音楽プレーヤを提供することを目的とするものである。
【課題を解決するための手段】
【００１６】
前記課題を解決するために、本願の請求項１にかかる発明は、
各部に電力を供給する電源部と、メモリカードが挿入されるメモリカードスロットと、メモリカードから読み込んだ音楽データを記憶するＲＡＭと、前記ＲＡＭに記憶された音楽データを読み出して再生処理する再生処理部と、操作入力部と、前記操作入力部による操作入力を無効にするキーロック制御部と、制御部と、を備えた携帯用音楽プレーヤにおいて、
前記制御部は、前記キーロック制御部により操作入力が無効にされている場合、前記メモリカードから音楽データを前記ＲＡＭに読み込む期間のみ前記電源部から前記メモリカードスロットに電源を供給することを特徴とする。
【００１７】
本願の請求項２にかかる発明は、請求項１にかかる携帯用音楽プレーヤにおいて、前記制御部は、前記キーロック制御部により操作入力が無効にされている場合、前記メモリカードから音楽データを前記ＲＡＭに読み込んだ後、該読み込んだ音楽データを前記ＲＡＭより読み出して再生処理部により再生処理されている期間は前記電源部から前記メモリカードスロットへの電源供給を停止することを特徴とする。
【００１８】
本願の請求項３にかかる発明は、請求項１または請求項２にかかる携帯用音楽プレーヤにおいて、前記制御部は、前記キーロック制御部により操作入力が無効にされていない場合は、前記電源部から前記メモリカードスロットに常時電源を提供することを特徴とする。
【発明の効果】
【００１９】
請求項１にかかる発明においては、携帯用音楽プレーヤは制御部を備え、前記制御部が、前記携帯用音楽プレーヤがキーロック状態にあることを検出した場合、前記制御部は、前記メモリカードから音楽データを前記ＲＡＭに読み込み処理を行っている期間のみ前記電源部から前記メモリカードスロットに電源を供給する。
【００２０】
このような構成によれば、キーロック時には、制御部が前記メモリカードから音楽データを前記ＲＡＭに読み込み処理を行っている期間のみ前記電源部から前記メモリカードスロットに電源を供給するものであるから、キーロック時にメモリカードスロットに挿入されたメモリカードから所定量の音楽データをＲＡＭに読み込み、ＲＡＭから音楽データを読み出して再生する際の電力消費を抑制することができるようになる。
【００２１】
請求項２にかかる発明においては、請求項１にかかる発明において、キーロック制御部により操作入力が無効にされている場合、前記制御部は、メモリカードから音楽データをＲＡＭに読み込んだ後、該読み込んだ音楽データを前記ＲＡＭより読み出して再生処理部により再生処理されている期間は前記電源部から前記メモリカードスロットへの電源供給を停止する。
【００２２】
このような構成によれば、キーロック時には、制御部が前記メモリカードから音楽データを前記ＲＡＭに読み込み処理を停止し、制御部が前記ＲＡＭから音楽データの読み出しを行っている期間は前記電源部から前記メモリカードスロットへの電源供給を停止するものであるから、キーロック時にメモリカードスロットに挿入されたメモリカードから所定量の音楽データをＲＡＭに読み込み、ＲＡＭより音楽データを読み出して再生処理部により再生処理する際の電力消費を抑制することができるようになる。
【００２３】
請求項３にかかる発明においては、請求項１または請求項２にかかる発明において、前記制御部が、前記携帯用音楽プレーヤがキーロック状態にないことを検出した場合、前記前記メモリカードスロットに常時、電源を供給する。
【００２４】
このような構成によれば、携帯用音楽プレーヤがキーロック状態にない場合には、電源部は、前記メモリカードスロットに常時電源を供給するものであるから、通常の操作入力部の操作によるメモリカードからＲＡＭへの音楽データの読み込み、および、ＲＡＭに記憶された音楽データの読み出し、再生ができるようになる。
【発明を実施するための最良の形態】
【００２５】
以下、本発明の具体例を実施例及び図面を用いて詳細に説明する。但し、以下に示す実施例は、本発明の技術思想を具体化するための携帯用音楽プレーヤを例示するものであって、本発明をこの携帯用音楽プレーヤに特定することを意図するものではなく、特許請求の範囲に含まれるその他の実施形態の携帯用音楽プレーヤにも等しく適用し得るものである。
【実施例】
【００２６】
図１は本発明の実施例にかかる携帯用音楽プレーヤの構成を示すブロック図である。図１に示すように、本発明の実施例にかかる携帯用音楽プレーヤ１０は、制御部１１、電源部１２、キーロック制御部１３、メモリカードスロット１４、外部記憶装置（メモリカード）１４１、ＲＡＭ１５、再生処理部１６、ＲＯＭ１７、操作入力部１８、スピーカ１９などを備えて構成されている。
【００２７】
制御部１１はマイクロプロセッサ等のコンピュータ装置で構成され、ＲＯＭ１７やＥＥＰＲＯＭのような記憶手段に蓄積された制御プログラムや各種設定値に基づいて各部の制御を行う。また、制御部１１はＲＡＭ１５に各部の処理において必要なデータ類を一時記憶する他、タイマー制御、ＲＡＭ読み込み制御、ＲＡＭ読み出し制御、キーロック検出、電源制御、を行う。
【００２８】
タイマー制御とは、メモリカードスロット１４に挿入されたメモリカード１４１から音楽データをＲＡＭ１５に読み込みを行う時間又はＲＡＭ１５に読み込まれた再生するための音楽データを読み出す時間のことであり、この時間のカウントを行うのがタイマー制御である。
【００２９】
ＲＡＭ読み込み制御とは、メモリカード１４１がメモリカードスロット１４に挿入された状態でメモリカード１４１から音楽データをＲＡＭ１５に読み込むことであり、ＲＡＭ読み出し制御とは、ＲＡＭ１５に記憶された音楽データを再生のために読み出すことである。キーロック検出とは、携帯用音楽プレーヤ１０がキーロック機能オンに設定されているか、キーロック機能オフに設定されているかを検出することであり、キーロック機能がオフに設定され、メモリカード１４１がメモリカードスロット１４に挿入された状態にある場合、制御部１１は、操作入力部１８による操作に基づいてメモリカード１４１から音楽データをＲＡＭ１５に読み込むＲＡＭ読み込みを行い、また、操作入力部１８による操作に基づいてＲＡＭ１５に記憶された音楽データから再生すべき音楽データを読み出すＲＡＭ読み出しを行う。
【００３０】
一方、キーロック機能がオンに設定され、メモリカード１４１がメモリカードスロット１４に挿入された状態にある場合、制御部１１は、タイマー制御によりカウントした所定の時間、メモリカード１４１から音楽データをＲＡＭ１５に読み込む制御を行い、タイマー制御によりカウントした所定の時間、ＲＡＭ１５に記憶された音楽データから再生すべき音楽データの読み出しを行う。
【００３１】
先に述べたように、メモリカード１４１からＲＡＭ１５に音楽データを読み込む速度は、ＲＡＭ１５から音楽データを読み出して再生する速度に比べて高速である。また、ＲＡＭ１５から音楽データを読み出して再生している間は、メモリカード１４１からＲＡＭ１５への音楽データの読み込み処理は停止される。従って、メモリカード１４１からＲＡＭ１５への音楽データの読み込みデータ量は、ＲＡＭ１５から再生のために読み出されるデータ量より大きなデータ量である。タイマー制御のカウントにより、メモリカード１４１からＲＡＭ１５への読み込みデータ量と、ＲＡＭ１５からの読み出しデータ量が制御される。
【００３２】
キーロック機能がオンされた状態において、制御部１１は、次のようにメモリカードスロット１４への電源供給を制御する。先ず、タイマー制御によりカウントした所定の時間、制御部１１は電源部１２をメモリカードスロット１４に接続して電源供給を行う。すなわち、メモリカード１４１から音楽データをＲＡＭ１５に読み込む間、電源部１２をメモリカードスロット１４に接続して電源供給を行う。
【００３３】
そして、メモリカード１４１から音楽データをＲＡＭ１５に読み込む処理を停止している間は、メモリカードスロット１４への電源部１２の接続を切断して電源供給を停止する。この間は、タイマー制御によりカウントした所定の時間、ＲＡＭ１５に記憶された音楽データから再生すべき音楽データを読み出す処理を行う。
【００３４】
電源部１２は充電可能な電池を備えており、図示していないＡＣ電源から電源供給を受けない携帯時にはこの電源部から各部に必要な電力が供給される。操作入力部１８は、テンキー、各種機能キー、スイッチ等からなり、携帯用音楽プレーヤ１０を操作するための入力を行うものである。機能キーにはキーロック機能をオンまたはオフするキーロックキーが設定されている。
【００３５】
正規の所持者は任意の文字数字を組み合わせて暗証番号を入力して登録し、キーロックキーを操作することにより携帯用音楽プレーヤ１０をキーロックすることができる。キーロック機能がオン状態にあると、操作入力部１８からキー入力が行われてもその入力は無効にされる。利用者がキーロックキーを操作して暗証番号を入力するとキーロック機能はオフされ、通常の入力操作が可能になる。キーロック制御部１３はこのようなキーロックのオン・オフの制御を行う。
【００３６】
メモリカードスロット１４はメモリカード１４１をセットしてメモリカード１４１に記録された音楽データを携帯用音楽プレーヤ１０に読み込み再生することができる。メモリカードスロット１４には通常は、電源部１２から常時電力が供給されている。メモリカード１４１から読み込んだ音楽データはＲＡＭ１５に記憶される。音楽データを再生する場合、再生処理部（音声再生部）１６はＲＡＭ１５から音楽データを読み出して再生し、スピーカ１９から出力される。再生を終えた音楽データはＲＡＭ１５から削除される。
【００３７】
ＲＡＭ１５から音楽データを読み出して再生している間は、メモリカード１４１からＲＡＭ１５への音楽データの読み込処理は停止される。メモリカード１４１からＲＡＭ１５に音楽データを読み込む速度は、ＲＡＭ１５から音楽データを読み出して再生する速度に比べて高速である。従って、メモリカード１４１からＲＡＭ１５に音楽データを読み込む場合、大量の音楽データをメモリカード１４１からＲＡＭ１５に読み込んでおき、ＲＡＭ１５から音楽データ読み出して再生する処理速度にあわせて読み出し、再生が行われる。
【００３８】
携帯用音楽プレーヤ１０がキーロックされた状態でメモリカードスロット１４にメモリカード１４１が挿入されている場合、制御部１１は所定のデータ読み込み量に従って、メモリカード１４１から音楽データをＲＡＭ１５に読み込む。ＲＡＭ１５に読み込まれた音楽データは、再生処理部１６の処理速度に応じたデータ量に従って読み出される。再生処理部１６はＲＡＭ１５から読み出された音楽データを再生処理し、スピーカ１９から出力される。音楽データの再生処理が行われている間はメモリカード１４１からＲＡＭ１５への音楽データの読み込みは停止される。
【００３９】
本実施例の携帯用音楽プレーヤ１０は、キーロック時にはキー操作が無効にされ、メモリカード１４１からＲＡＭ１５への音楽データの読み込みがキー操作により制御されることなく、制御部１１の制御により行われること、および、メモリカード１４１からＲＡＭ１５への音楽データの読み込みと、再生処理とが同時に行われないことに着目して、キーロック時にはメモリカードスロット１４への電力供給を、メモリカード１４１からＲＡＭ１５に音楽データを読み込む処理を行う間のみ行い、ＲＡＭ１５に記憶されたと音楽データを再生処理している間はメモリカードスロット１４への電力供給を停止するようにして電力消費を抑制する。勿論、キーロック状態が解除（キーロック機能がオフ）された場合は、通常の電源供給に戻る。
【００４０】
図３は、以上説明した携帯用音楽プレーヤ１０の動作手順を示すフローチャートである。先ずステップＳ１１の処理において制御部１１は携帯用音楽プレーヤ１０がキーロック状態にあるか否かを検出する。キーロック状態にない場合は、ステップＳ１２の処理に進み、制御部１１は電源部１２をメモリカードスロット１４に接続し、常時外部記憶装置（メモリカードスロット１４）の電源供給を行うようにしてステップＳ１１のキーロック検出処理に戻る。
【００４１】
ステップＳ１１のキーロック検出処理において制御部１１がキーロック状態であることを検出すと、ステップＳ１３の処理において制御部１１はメモリカードスロット１４に挿入されているメモリカード１４１からＲＡＭ１５に所定のデータ量の音楽データを読み込む。次いで、ステップＳ１４の処理においてメモリカード１４１の全ての音楽データのＲＡＭ１５への読み込みが完了しているかを判定する。
【００４２】
この判定処理でメモリカード１４１の全ての音楽データの読み込みが完了していれば処理を終了し、全ての音楽データの読み込みが完了していなければ、制御部１１はメモリカードスロット１４に挿入されているメモリカード１４１からＲＡＭ１５に所定のデータ量の音楽データを読み込む。そしてステップＳ１５の処理に進み、電源部１２とメモリカードスロット１４の接続を切断して電源供給を停止する。
【００４３】
次に、ステップＳ１６で制御部１１においてキーロック状態が解除された（キーロック機能がオフされた）ことを検出すると、ステップＳ１７の処理に進み、電源部１２をメモリカードスロット１４に接続して電源供給を再開する。一方、ステップＳ１６でキーロック検出部１１３においてキーロック状態が解除されていないことを判別すると、ステップＳ１８の処理に進み、制御部１１のＲＡＭ読み出し制御によりＲＡＭ１５に読み込まれている再生データが所定量以下となったことを判定する。
【００４４】
ステップＳ１８の判定処理において、ＲＡＭ１５に読み込まれている再生データが所定量以上残っていることを検出すると、ステップＳ１５の処理に戻り、メモリカードスロット１４への電源供給を停止したまま、ＲＡＭ１５に記憶された音楽データの読み出し、再生処理を続行する。
【００４５】
ステップＳ１８の判定処理において、ＲＡＭ１５に読み込まれている再生データが所定量以下となったことを検出すると、ステップＳ１７の処理に進み、制御部１１は電源部１２をメモリカードスロット１４に接続して電源供給を再開して、ステップＳ１１のキーロック状態検出処理に戻る。キーロック状態が継続していれば、ステップＳ１３の処理に進み、メモリカード１４１からＲＡＭ１５への音楽データの読み込みを継続する。
【００４６】
以上、詳細に説明したように本発明の実施例にかかる携帯用音楽プレーヤにおいては、操作入力部１８のキー操作を無効にするキーロック機能を有する携帯用音楽プレーヤにおいて、キーロック時にはメモリカードから音楽データを読み込む時だけメモリカードスロットに電源供給し、その他の状態では電源供給を停止してメモリカード１４１から音楽データをＲＡＭに読み込、再生する際の電力消費を抑制することができるようになる。
【図面の簡単な説明】
【００４７】
【図１】本発明の実施例にかかる携帯用音楽プレーヤの構成を示すブロック図である。
【図２】本発明の実施例にかかる携帯用音楽プレーヤの動作手順を示すフローチャートである。
【符号の説明】
【００４８】
１０・・・・・携帯用音楽プレーヤ
１１・・・・・制御部
１２・・・・・電源部
１３・・・・・キーロック制御部
１４・・・・・メモリカードスロット
１４１・・・・外部記憶装置（メモリカード）
１５・・・・・ＲＡＭ
１６・・・・・再生処理部
１７・・・・・ＲＯＭ
１８・・・・・操作入力部
１９・・・・・スピーカ
【図１】
2008180787.tif 000003
【図２】
2008180787.tif 000004